(57)【特許請求の範囲】
【請求項１】
音響信号の受信の最中にバックグラウンドノイズと干渉のうち少なくとも一つを削減するためのノイズ削減装置であって：
少なくとも一つのリモートノイズ検知器からのノイズ見積りを受信するためのワイヤレス受信器と、
主音源からの音響信号を受信するための音響受信器と、
前記受信したノイズ見積りに基づいて、前記受信した音響信号におけるノイズコンポーネントを削減または消去するためのノイズ削減プロセッサと、を含み、
前記受信したノイズ見積りは、前記リモートノイズ検知器で受信されたノイズまたは干渉の電力スペクトル密度であり、
前記電力スペクトル密度は、正の周波数だけであり、かつ、クロックとの同期を要せず、前記ノイズ見積りとして、削減されたスペクトル解像度で送信される、
ことを特徴とするノイズ削減装置。
【請求項２】
前記音響受信器は、前記主音源からの前記音響信号を受信するように適合された第１のマイクロフォンを含む、
請求項１に記載のノイズ削減装置。
【請求項３】
前記ノイズ削減プロセッサは、前記受信したノイズ見積りと前記受信した音響信号における前記ノイズコンポーネントとの間のレベルの差異を、音声モデルに基づいて、フレームバイフレームベースで補償するためのレベル調整ユニットを含む、
請求項１に記載のノイズ削減装置。
【請求項４】
前記ノイズ削減プロセッサは、前記リモートノイズ検知器と前記音響受信器との間の音響パスを見積るためのパス見積りユニットを含む、
請求項１に記載のノイズ削減装置。
【請求項５】
前記ノイズ削減プロセッサは、単一チャンネルの音声強調アルゴリズムによって前記受信したノイズ見積りを利用するための音声強調ユニットを含む、
請求項１に記載のノイズ削減装置。
【請求項６】
前記ノイズ削減装置は、アドホックネットワーク接続を介して、前記リモートノイズ検知器に接続するように適合されている、
請求項１に記載のノイズ削減装置。
【請求項７】
バックグラウンドノイズまたは干渉を検知し、ノイズ削減装置に対してノイズ見積りを無線で送信するためのリモートノイズ検知器であって、
前記リモートノイズ検知器は、前記検知したバックグラウンドノイズまたは干渉の電力スペクトル密度を見積り、前記見積った電力スペクトル密度を、前記ノイズ見積りとして、削減したスペクトル解像度で送信するように適合されており、
前記電力スペクトル密度は、正の周波数だけであり、かつ、クロックとの同期を要しない、
リモートノイズ検知器。
【請求項８】
前記リモートノイズ検知器は、第２のマイクロフォンを含む、
請求項７に記載のリモートノイズ検知器。
【請求項９】
前記リモートノイズ検知器は、アドホックネットワーク接続を介して、前記ノイズ削減装置に接続するように適合されている、
請求項７に記載のリモートノイズ検知器。
【請求項１０】
前記リモートノイズ検知器は、パス見積りを可能にするために、スタートアップの最中に、前記ノイズ削減装置に対してタイムドメイン波形を送信するように適合されている、
請求項７に記載のリモートノイズ検知器。
【請求項１１】
音響信号の受信の最中にバックグラウンドノイズと干渉のうち少なくとも一つを削減するためのシステムであって、
前記音響信号を生成する主音源の近くに配置された請求項１に記載のノイズ削減装置と、
前記バックグラウンドノイズまたは前記干渉を生成する少なくとも一つの第２の音源の近くに配置された少なくとも一つのリモートノイズ検知器と、を含む
ノイズ削減システム。
【請求項１２】
音響信号の受信の最中にバックグラウンドノイズと干渉のうち少なくとも一つを削減するための方法であって：
少なくとも一つのノイズ検知器からノイズ見積りを無線で受信するステップと、
主音源から音響信号を受信するステップと、
前記無線で受信したノイズ見積りに基づいて、前記受信した音響信号におけるノイズコンポーネントを削減または消去するステップと、を含み、
前記受信したノイズ見積りは、リモートの前記ノイズ検知器で受信されたノイズまたは干渉の電力スペクトル密度であり、
前記電力スペクトル密度は、正の周波数だけであり、かつ、クロックとの同期を要せず、前記ノイズ見積りとして、削減されたスペクトル解像度で送信される、
ことを特徴とする方法。
【請求項１３】
コンピューターデバイス上で実行された場合に、請求項１２に記載の方法を実施するためのコードを含むコンピュータープログラム。
【発明の詳細な説明】
【技術分野】
【０００１】
本発明は、バックグラウンドノイズ、及び／又は、音響信号の受信の最中の干渉を削減するための削減装置、方法、およびシステムに関する。
【背景技術】
【０００２】
バックグラウンドノイズや干渉によって乱された音声の強調は難しい問題である。特に、音楽といった、高度に多様化し干渉している音声または音響信号についてはそうである。このことは、例えば、携帯電話、ハンズフリー通信、補聴器等、いくつかのアプリケーションドメイン（ａｐｐｌｉｃａｔｉｏｎ  ｄｏｍａｉｎ）に関連する問題である。ボイスオーバーインターネットプロトコル（ＶｏＩＰ）通信がますますリビングルームにおいて一般的になるにつれて、新たなアプリケーションのシナリオが登場している。一人は、家の中でＶｏＩＰ電話に巻き込まれ、一方、同じ部屋の中で、別の一人はテレビ（ＴＶ）を見ているか、音楽を聴いているのである。ＶｏＩＰでの会話は長くなる傾向があるので、こうしたシナリオにはより注意が必要である。難しいのは、例えば、ＴＶまたは音楽システムからの音といった、バックグラウンドノイズまたは干渉を抑制する一方で、話し手の音声だけを伝えることである。
【発明の概要】
【発明が解決しようとする課題】
【０００３】
本発明の目的は、強化されたノイズ削減システムを提供することであり、音響受信器を介した音声受信の最中に、抑制されたバックグラウンドノイズまたは干渉を提供する。
【課題を解決するための手段】
【０００４】
この目的は、請求項１に記載のノイズ削減システム、請求項８に記載のリモートノイズ検知器、請求項１４に記載の方法、請求項１３に記載のノイズ削減システム、および、請求項１５に記載のコンピュータープログラム、によって達成される。
【０００５】
つまり、リモートワイヤレスマイクロフォン（ＲＷＭ）といったような、少なくとも一つのリモート検知器が、少なくとも一つのノイズ源の近くに配置され、関連のノイズ情報を主デバイスに対して送信する。情報は、ノイズ削減のために使用される。ポータブルなワイヤレスオーディオデバイスがますます一般的になるにつれて、特にノイズが存在する場合に、高品質な音声獲得（ｓｐｅｅｃｈ  ｃａｐｔｕｒｅ）を可能にする、こうしたデバイスのアドホック（ａｄ−ｈｏｃ）ネットワークを形成することができる。特に、こうしたデバイスをそれぞれの信号干渉源の近くに配置して、デバイスの音声または音響信号から引き出した適切な特徴を主デバイスに対して無線で送信することは、ノイズ削減のために重要な利点を提供することができる。
【０００６】
現行の単一マイク音声強調技術は、非定常的なノイズ状況において性能が乏しいことで問題があり、音楽といった高度に多様化した干渉の存在において、品質または明瞭さの改善を提供することができない。提案する本ソリューションは、ノイズ源の近くに配置されたリモートワイヤレス検知器（例えば、マイクロフォン）を使用することによって、こうした制限を克服する。本ソリューションは、複数のノイズ源をキャンセルまたは補償するように当然に拡張できる。ノイズ源それぞれの近くにワイヤレスノイズ検知器を配置し、ノイズ削減装置に対して信号を発信させることによってである。
【０００７】
マイクロフォンアレイ（ｍｉｃｒｏｐｈｏｎｅ  ａｒｒａｙ）が、音楽といった非定常的な干渉を削減することができるものとして示されてきたが、このアプローチは、こうしたアレイの設置を必要とする。本ソリューションは、アレイといった専用のハードウェアの必要性を排除し、ユーザー環境において既に利用可能な検知器（マイクロフォンといったもの）を使用する。さらに、マイクロフォンアレイを使用する非定常的なノイズ削減は、干渉がアレイにほどよく近い場合に最も良く作用するのだが、必ずしもそういう場合ではないこともある。本提案のソリューションは、この制限を克服する。
【０００８】
リモートノイズ検知器からのノイズ見積り信号が、ビーム成形器を使用する主音響受信器（例えばマイクロフォン）の信号と組み合わされる場合には、マイクロフォンを含む個々のデバイスのクロックを正確に同期させることが必要となる。
【０００９】
本発明の第１の実施例に従えば、音響受信器は、主音源からの音響信号を受信するように適合された第１のマイクロフォンを含む。それにより、効率的にリモートノイズ源からのバックグラウンドノイズを検知することができ、第１のマイクロフォンでの音響信号の受信の最中にバックグラウンドノイズを削減または消去することができる。
【００１０】
第１の態様と組み合わせることができる本発明の第２の実施例に従えば、ノイズ削減プロセッサは、受信したノイズ見積りと受信した音響信号におけるノイズコンポーネントとの間のレベルの差異を、音声モデルに基づいて、フレームバイフレームベースで補償するためのレベル調整ユニット、ステージ、または機能を含む。このように、変化しているバックグラウンドノイズを素早く補償することができる。
【００１１】
第１の態様と第２の態様の少なくとも一つと組み合わせることができる本発明の第３の実施例に従えば、受信したノイズ見積りは、リモートノイズ検知器で受信されたノイズまたは干渉の電力スペクトル密度である。従って、リモートノイズ検知器の電力スペクトル密度を送信することのみによって、正の周波数だけを送信する必要がある。ＰＳＤは対称だからであり、より少ないビットを送信すればよいので結果として電力削減になる。さらなる電力削減は、削減されたスペクトル解像度においてＰＳＤを送信することによって達成される。これにより、電力消費とパフォーマンスとの調整可能なトレードオフ（ｔｒａｄｅ−ｏｆｆ）を提案している。加えて、クロックの同期は必要とされない。
【００１２】
第１の態様から第３の態様の少なくとも一つと組み合わせることができる本発明の第４の実施例に従えば、ノイズ削減プロセッサは、リモートノイズ検知器と音響受信器との間の音響パスを見積るためのパス見積りユニット、ステージ、または機能を含む。これにより、音響パスを補償することができて有利である。
【００１３】
第１の態様から第４の態様の少なくとも一つと組み合わせることができる本発明の第５の実施例に従えば、単一チャンネルの音声強調アルゴリズムによって受信したノイズ見積りを利用するための音声強調ユニット、ステージ、または機能を含む。
【００１４】
第１の態様から第５の態様の少なくとも一つと組み合わせることができる本発明の第６の実施例に従えば、ノイズ削減装置とリモートノイズ検知器は、アドホックネットワーク接続を介してお互いに接続するように適合されている。これにより、音響信号の高品質な獲得が可能となる。
【００１５】
第１の態様から第６の態様の少なくとも一つと組み合わせることができる本発明の第７の実施例に従えば、リモートノイズ検知器は、パス見積りと、従って、補償を可能にするために、スタートアップの最中に、ノイズ削減装置に対してタイムドメイン波形を送信するように適合されている。
【００１６】
本発明のさらなる一つの態様では、ノイズ削減を実行するためのコンピュータープログラムが提供される。コンピュータープログラムは、プログラムがノイズ削減システムをコントロールするコンピューター上で実行された場合に、上述のノイズ削減方法をノイズ削減装置に実行させるためのコードを含んでいる。
【００１７】
本発明の望ましい実施例は、また、それぞれの独立請求項と従属請求項とのあらゆる組み合わせであり得ることが理解されるべきである。
【００１８】
本発明のこれらの、または他の態様は、以降に記載される実施例から明らかにされ、説明される。
【図面の簡単な説明】
【００１９】
【図１】図１は、典型的な本ノイズ削減システムの実施例を模式的に示している。
【図２】図２は、典型的な本ノイズ削減装置の実施例を模式的に示している。
【図３】図３は、典型的な本ノイズ削減方法のフローチャートを示している。
【発明を実施するための形態】
【００２０】
図１は、本発明の一つの実施例に従ったノイズ削減システムを示している。ＶｏＩＰコール（ｃａｌｌ）のためのユーザーの声または所望の音響信号のあらゆる他のソース（ｓｏｕｒｃｅ）といった、主音響源（ＰＡＳ）３００が、主マイクロフォン（ＰＭ）３０もしくは、音声または音響信号に対するあらゆる他の検知器を介して受け取られる。検知された音響信号は、信号検知プロセスの最中に付加されたノイズ及び／又は干渉をキャンセルし、または抑制するように適用されたノイズ削減ユニット（ＮＲ）２０に対して供給される。より特定的には、ノイズ削減ユニットまたはプロセッサ２０は、図１に描かれた第２の音源１００といった、他のリモートな第２の音源（ＳＡＳ）によって、所望の信号に付加されたあらゆるノイズ及び／又は干渉を決定し、または見積もるように適合されている。第２の音源１００は、テレビ（ＴＶ）装置、音楽プレーヤー、または、主マイクロフォン３０によって検知されるべき所望の信号に影響するバックグラウンドノイズまたは干渉に係るあらゆるソースであり得る。ノイズ削減プロセッサでの干渉及び／又はノイズの決定は、少なくとも一つのリモートワイヤレスマイクロフォン（ＥＷＭ）を第２の音源１００の近くに配置することによって達成される。第２の音源１００での干渉またはノイズを検知して、検知されたノイズ／干渉信号をワイヤレス接続を介してノイズ削減プロセッサ２０におけるワイヤレス受信器（ＲＸ）に対して送信するようにである。受信されたノイズ／干渉信号は、ノイズ削減プロセッサ２０に供給され、ノイズ／干渉見積りと後のノイズ削減またはキャンセルのために使用される。処理された音声または音響信号は音響処理（ＡＰ）ステージ４０に提供され、関連の音響アプリケーションに基づいて処理される。例えば、インターネットを介して発信者に対して音響信号を転送するためのＶｏＩＰアプリケーションである。
【００２１】
リモートマイクロフォン１０は、ポータブルなワイヤレスデバイスとして実施されてもよいし、特にノイズが存在する場合には、高品質な音声獲得ができるように、ノイズ削減プロセッサ２０においてワイヤレス受信器を伴なうアドホックネットワークを形成するように適合されてもよい。ワイヤレスアドホックネットワークは、分散化されたネットワークである。ネットワークは、アドホックである。有線ネットワークにおけるルーター、または管理された（インフラストラクチャ）ワイヤレスネットワークにおけるアクセスポイントといった、既に存在しているインフラストラクチャに依存しないからである。代わりに、それぞれのノードは、他のノードに対してデータを転送することによってルーティング（ｒｏｕｔｉｎｇ）に関与する。そして、どのノードがデータを転送したかの決定は、ネットワークの接続性に基づいて動的に行われる。ワイヤレスアドホックネットワーク（モバイルアドホックネットワーク、ワイヤレスメッシュネットワーク、またはワイヤレスセンサーネットワークといったもの）の分散化された性質は、それらをセントラル（ｃｅｎｔｒａｌ）ノードが依存され得ない本発明のノイズ削減システムに適したものにしている。もちろん、他のタイプのワイヤレスリンク、例えば８０２．１１規格に従ったリンク、がリモートマイクロフォン１０とノイズ削減プロセッサ２０との間の信号目的のために使用されてもよい。
【００２２】
このように、本発明の実施例に従って提案されたノイズ削減システムは、主マイクロフォン１０と、例えば、ノイズ源といった、第２の音源の近くに配置された一つまたはそれ以上のワイヤレスマイクロフォン１０を含んでいる。実施例において、リモートマイクロフォン１０は、観察され、検知されたノイズ／干渉信号の電力スペクトル密度（ＰＳＤ）を主マイクロフォン３０におけるノイズ削減プロセッサ２０に対して送信するように適合されている。補償が必要なレベルの差異に依存し、これらはノイズＰＳＤの見積りとして働く。
【００２３】
主マイクロフォン３０のノイズ削減プロセッサ２０においては、リモートマイクロフォン１０から受信したＰＳＤと主マイクロフォン３０で観察されたノイズ信号のＰＳＤのレベルとのレベルの差異は、モデルベースのアプローチを使用するために補償され、続いて、主マイクロフォン３０で観察されたノイズのある信号からのノイズを抑制するために使用される。
【００２４】
上記に説明された設定における重要な疑問点は、リモートマイクロフォン１０が送信すべき信号のことである。ローカルおよびリモートマイクロフォンからの信号がビーム形成器に対する入力として使用される場合には、タイムドメイン（ｔｉｍｅ−ｄｏｍａｉｎ）の波形を送信することが必要となる。しかしながら、データのワイヤレス送信は、電力集中的である。加えて、主マイクロフォン３０とリモートマイクロフォン１０は独立したクロックをもつ分離したデバイスに接続されているので、２つのクロックを正確に同期させるメカニズムが不可欠になる。さらに、２つのマイクロフォン間の距離は大きくなり得るので（例えば、２−４メートル）、ビーム形成器は、興味の周波数において、空間折り返し歪みに苦しむことになる。
【００２５】
図２は、本発明のノイズ削減プロセッサ２０の典型的な実施例を模式的に示している。レベル調整（ＬＡ）ステージ２２０において、周波数から独立したレベルの差異が補償される。主マイクロフォン３０とリモートマイクロフォン１０は距離が離れているという事実によるものである。観察されたノイズ／干渉信号の電力スペクトル密度（ＰＳＤ）の見積りを送信することにはいくつかの利点がある。リモートマイクロフォン１０は、主マイクロフォン３０よりもノイズ源により近いので、リモートマイクロフォン１０で観察された信号のＰＳＤは、主マイクロフォン３０でのノイズＰＳＤの良い概算であり、適度な反響レベルである。例えば、Ｓ．Ｓｒｉｎｉｖａｓａｎ、Ｊ．Ｓａｍｕｅｌｓｓｏｎ、Ｗ．Ｂ．Ｋｌｅｉｊｎ、共著の“Ｃｏｄｅｂｏｏｋ−ｂａｓｅｄ  Ｂａｙｅｓｉａｎ  ｓｐｅｅｃｈ  ｅｎｈａｎｃｅｍｅｎｔ  ｆｏｒ  ｎｏｎｓｔａｔｉｏｎａｒｙ  ｅｎｖｉｒｏｎｍｅｎｔｓ”、ＩＥＥＥ  ｔｒａｎｓａｃｔｉｏｎ  ｏｎ  ａｕｄｉｏ、ｓｐｅｅｃｈ、ａｎｄ  ｌａｎｇｕａｇｅ  ｐｒｏｃｅｓｓｉｎｇ、ｖｏｌ．１５、ｎｏ．２、２００７、に記載されるように、音声モデルの使用によって、このレベル調整をフレームバイフレーム（ｆｒａｍｅ−ｂｙ−ｆｒａｍｅ）ベースで計算することができ、素早く変化するノイズを扱うことができる（フレームは、音声信号の短いセグメントであり、典型的には２０から３２ミリ秒の長さである）。
【００２６】
反響（ｒｅｖｅｒｂｒａｔｉｏｎ）は、オリジナルの音が除去された後の、所定の部分における音のパーシスタンス（ｐｅｒｓｉｓｔｅｎｃｅ）である。反響、またはリーバーブは、多くのエコー（ｅｃｈｏ）の重なりを生じる囲まれた空間において音が生成されるときに創出され、音が壁や空気によって吸収されるにつれてゆっくりと衰退していく。このことは、音源は停止したが、反響の大きさは減少しながら、もはや聞こえなくなるまで続いている場合に、最も顕著である。最初の音の後の５０から１００ミリ秒である別個のエコーと比較すると、反響は、非常に素早く連続（エコー間は０．０１から１ミリ秒）して到着する数千のエコーである。時間の経過につれて、多くのエコーの大きさは、全く聞こえなくなるまで減少する。従って、ノイズ削減システムの環境における反響の量が大きい場合には、リモートマイクロフォン１０での信号のＰＳＤと主マイクロフォン３０でのノイズＰＳＤは、もはや、ちょうど周波数と独立のレベルファクターほども違わない。この場合、任意的なパス見積り（ＰＥ）ステージ２３０が提供される。スタートアップの最中は、それぞれのリモートマイクロフォン１０は、ノイズ削減プロセッサ２０に対してタイムドメインの波形を送付する。例えば、正規化された最小平均二乗（ＬＭＳ）フィルターを使用して、パス見積りステージ２３０において、それぞれのリモートマイクロフォン１０と主マイクロフォン３０との間の音響パスが見積もられる。わかってしまえば、このパスを補償することができる。よって、２つのＰＳＤは、周波数と独立のレベルファクターだけ異なり、ＰＳＤだけを送信することで十分である。
【００２７】
レベルが調整され、任意的に音声補償されたリモートマイクロフォン信号のノイズＰＳＤは、次に、音声強調（ＳＥ）ステージ２４０において、単一チャンネルの音声強調アルゴリズムによって利用される。単一のノイズのある信号からノイズＰＳＤを見積もることは、特に非定常的なノイズ状況において、難しい。従って、リモートマイクロフォン１０からの正確なノイズＰＳＤ情報は、次のノイズ削減（ＮＲ）ステージ２５０におけるノイズ削減に著しい改善を提供することができる。例えば、２０から３２ミリ秒毎に計算されたノイズＰＳＤを送信することにより、音楽といった高度に変化するノイズのタイプを追跡することができる。送信する必要があるのはスペクトル情報だけなので、正確なクロックの同期はもはや重要ではない。さらに、実信号のＰＳＤは対称なので、正の周波数だけを送信すれば十分である。それにより、生の信号を送信するのに比べて、電力消費を削減している。さらに、送信のバンド幅を削減するために、必ずしも全ての周波数ビン（ｂｉｎ）を送信する必要はない。代わりに、削減されたスペクトル解像度においてＰＳＤを送信することができる。
【００２８】
図３は、ノイズ削減プロセッサ２０に適用することができるノイズ削減方法の実施例を説明する典型的なフローチャートを示している。
【００２９】
ステップＳ１０１では、それぞれのリモートマイクロフォンから受信したタイムドメインの波形に基づいて、最初のパス見積りが実行される。次に、ステップＳ１０２では、状況に応じてパス補償パラメーターが設定される。ステップＳ１０３では、リモートマイクロフォン（ＲＷＭ）１０からのノイズ見積りが受信され、ステップＳ１０４において、例えば上述の音声モデルに基づいて、レベル調整が実施される。次に、ステップＳ１０５では、レベルが調整された信号に対して、パス見積りと音声アライメント（ａｌｉｇｎｍｅｎｔ）処理が適用される。最後に、ステップＳ１０６では、見積りされたノイズ及び／又は干渉に基づいて、主マイクロフォン３０からの信号に対してノイズ削減処理が適用される。その後、ステップＳ１０７で、さらなるノイズ見積りがリモートマイクロフォン１０から受信されていないかを確認する。もし、なければ、プロセスは終了する。一方、さらなるノイズ見積りが利用可能な場合、プロセスはステップＳ１０３に戻り、さらなる利用可能な見積りが無くなるまで、ステップＳ１０３からＳ１０６の処理を繰り返す。
【００３０】
３つの異なるタイプの音楽によって乱された音声に対して、セグメントの信号対ノイズ比（ＳＮＲ）における改善が試験された。結果は、１０個の異なる音声発言にわたって平均化され、それぞれの入力ＳＮＲは０ｄＢである。所望の干渉信号は、約３メートル離れて設置された２つのラウドスピーカーから発せられた。主マイクロフォン３０は、典型的なＰＣ上でのＶｏＩＰ電話におけるように、所望の主音源３００から０．５メートル離れて配置された。リモートマイクロフォン１０は、音楽信号を発しているラウドスピーカーの近くに配置された。反響時間（Ｔ６０）は、直接音の反射が衰退して直接音のレベルより６０ｄＢ下がるまでに要する時間である。試験室のＴ６０は、約４００ミリ秒であった。提案されたノイズ削減アプローチのために、ノイズＰＳＤの見積りとして、ＲＷＭによって観察された信号のＰＳＤが使用され、上述の音声モデルを使用して、主マイクロフォンで観察されたノイズのある音声が処理された。そして、リモートマイクロフォン１０の信号のＰＳＤと主マイクロフォン３０でのノイズＰＳＤとのレベルの差異を補償することができる。比較のために、従来技術での非定常的なノイズ状況のためのノイズ見積りスキームが、ノイズのある音声を強調するために使用された。例えば、Ｓ．Ｒａｎｇａｃｈａｒｉ、Ｐ．Ｃ．Ｌｏｉｚｏｕ、共著の“Ａ  ｎｏｉｓｅ−ｅｓｔｉｍａｔｉｏｎ  ａｌｇｏｒｉｔｈｍ  ｆｏｒ  ｈｉｇｈｌｙ  ｎｏｎ−ｓｔａｔｉｏｎａｒｙ  ｅｎｖｉｒｏｎｍｅｎｔｓ”、Ｓｐｅｅｃｈ  Ｃｏｍｍｕｎｉｃａｔｉｏｎ、  Ｖｏｌｕｍｅ４８、Ｉｓｓｕｅ２、Ｆｅｂｒｕａｒｙ２００６、Ｐａｇｅｓ２２０−２３、において説明されたものである。
【００３１】
上記の実施例は、一つのリモートマイクロフォンまたは検知器を複数の第２の音源のそれぞれ近くに配置し、それらのノイズ情報（例えば、ＰＳＤ）を主マイクロフォンに対して送信させることによって、複数の第２の音源を抑制するように強化され得る。代替として、複数のリモートマイクロフォンまたは検知器を一つの第２の音源の近くに配置し、ノイズ見積りを改善することができる。当業者業者であれば、図面、明細書、および添付の請求項を学習すれば、請求された発明を実施することにおいて、開示された実施例に対する他のバリエーションが理解され、もたらされるであろう。
【００３２】
請求項において、用語「含む（“ｃｏｍｐｒｉｓｉｎｇ“」は、他のエレメントまたはステップの存在を排除するものではなく、不定冠詞「一つの（”ａ“または”ａｎ“）」は、複数を排除するものではない。
【００３３】
単一のユニットまたはデバイスが、請求項に記載のいくつかのアイテムの機能を満たすこともあり得る。特定の手段が、お互いに異なる従属請求項の中で引用されているという事実だけでは、これらの手段の組合せが有利に使用され得ないことを示すものではない。
【００３４】
ステップＳ１０１からＳ１０７は、単一のユニットまたは他のあらゆる数の異なるユニットによって実行され得る。ノイズ削減プロセッサ２０の計算、処理、及び／又はコントロールは、コンピュータープログラムのプログラムコードとして、及び／又は専用のハードウェアとして実行され得る。
【００３５】
コンピュータープログラムは、光記録媒体もしくは半導体媒体といった、好適な媒体上に記録され、配布され、ハードウェアと供に、またはハードウェアの一部として提供され得る。しかし、インターネット、または他の有線もしくは無線の電子通信システムを介するといった、他の形式においても配布され得る。
【００３６】
請求項におけるいかなる参照番号も、発明の範囲を限定するものと解釈されるべきではない。
【００３７】
本発明は、少なくとも一つのノイズ源の近くに配置された少なくとも一つのリモートノイズ検知器を伴なうノイズ削減システムに関する。ノイズ検知器は、主デバイスに対して関連する情報を送信し、情報はノイズ削減のために使用される。それにより、主デバイスから得られた信号で、コントローラーに対してノイズ削減のためにノイズ見積りが送信されるということにおいて、少なくとも一つのリモートノイズ検知器を介して音響信号の強調が達成され得る。
【図１】
0006012621.tif 000002
【図２】
0006012621.tif 000003
【図３】
0006012621.tif 000004